(57)【要約】【課題】円環状の散水範囲を広くすることができる水噴霧ノズルを得る。【解決手段】筒状の外筒１と、該外筒１内に装着され、該外筒１との間に円筒状の流路４を形成し、先端２ａ外側に環状鍔部２ｂを有する内部体２とを備えた水噴霧ノズル１０において、該環状鍔部２ｂの受水面２ｄに外側に向けて上方に傾斜する傾斜面２ｅを形成する。【選択図】　図１
2004121944.tif 000002
【特許請求の範囲】
【請求項１】
筒状の外筒と、該外筒内に装着され、該外筒との間に円筒状の流路を形成し、先端外側に環状鍔部を有する内部体とを備えた水噴霧ノズルにおいて、
該環状鍔部の受水面に外側に向けて上方に傾斜する傾斜面を形成したことを特徴とする水噴霧ノズル。
【請求項２】
前記環状鍔部と前記外筒の先端外縁とで形成される外ノズル出口の断面積を、該外ノズル出口より流出する流水の最小流過面積としたことを特徴とする請求項１記載の水噴霧ノズル。
【請求項３】
前記環状鍔部の受水面に対向する前記外筒の先端に外側に向けて上方に傾斜する傾斜面を形成したことを特徴とする請求項１又は２記載の水噴霧ノズル。
【請求項４】
前記内部体が内ノズルを有するものであることを特徴とする請求項１、２又は３記載の水噴霧ノズル。
【発明の詳細な説明】
【０００１】
【発明が属する技術分野】
この発明は水噴霧ノズルに関する。
【従来の技術】
従来、例えばトンネル用の水噴霧ヘッドは、トンネルの一方の側壁に沿って一定間隔に設けられており、各ヘッド本体にはトンネルの他方の側壁側である遠方区域の散水を分担する遠投用ノズルとヘッド近傍区域の散水を分担する近投用ノズルとを備えていて、散水時は全区域の散水がほぼ均一になるように設計されていた。そして、近投用ノズルとして外筒と内筒とを有する水噴霧ノズルが用いられることがある。
【０００２】
前記の如き外筒と内筒とを有する水噴霧ヘッドの従来例としては、ラッパ状の頂部に第１の放出口を備えた内筒を、頂端にほぼ半周にわたる切欠部を備えた外筒に挿入し、上記内筒のラッパ状の頂部と外筒の切欠部とで第２の放出口を形成し、また上記内筒には、消火水または消火剤を均一に散布させるスパイラルと、外筒と連通する連通口とを設けた消火用ヘッドがある（特許文献１参照）。
【０００３】
【特許文献１】
実用新案出願公告平１−１５４０５号公報
【０００４】
【発明が解決しようとする課題】
前記の如き水噴霧ノズルにおいて、外側のノズルからの散水範囲を広げたい、つまりその射程を伸ばしたい場合、圧力を増すか、流量を増すかしなければならず、又その圧力も流量も決められていた場合外ノズルからの散水範囲を広げることができなかった。
【０００５】
本願の発明は、上記事情に鑑み、円環状の散水範囲を広くすることができる水噴霧ノズルを得ることを目的とする。
【０００６】
【課題を解決するための手段】
上記目的を達成する本願の発明について述べれば、それは、筒状の外筒と、該外筒内に装着され、該外筒との間に円筒状の流路を形成し、先端外側に環状鍔部を有する内部体とを備えた水噴霧ノズルにおいて、該環状鍔部の受水面に外側に向けて上方に傾斜する傾斜面を形成したことを特徴とする水噴霧ノズル、である。
【０００７】
前記本願の発明によれば、環状鍔部の受水面に外側に向けて上方に傾斜する傾斜面を形成したので、外筒と内部体との間に形成される流路から放出される消火水等は、環状鍔部の受水面における傾斜面にガイドされて、その射程距離が伸びることとなる。従って、前記本願の発明によれば、外側のノズルからの円環状の散水範囲を広くすることができる水噴霧ヘッドを得ることができる。
【０００８】
前記本願の発明において、前記環状鍔部と前記外筒の先端外縁とで形成される外ノズル出口の断面積を、該外ノズル出口より流出する流水の最小流過面積としてもよい。前記本願の発明において、例えば外筒と内部体との間に形成される円筒状の流路が最小流過断面積である場合、環状鍔部がデフレクタ（散水板）のように機能して、円筒状の流路からの圧力水は環状鍔部に衝突してそこでエネルギロスした上で放水されるので、射程距離の伸びは小さいが、環状鍔部と外筒の先端外縁とで形成される外ノズル出口の断面積を最小流過面積とすることで、外ノズル出口からは圧力水がエネルギロスすることなく勢いよく噴出することとなるので、射程距離の伸びを大きくすることができる。
【０００９】
更に、前記本願の発明において、前記環状鍔部の受水面に対向する前記外筒の先端に外側に向けて上方に傾斜する傾斜面を形成するようにしてもよい。このようにすることで、放出される消火水等への上方に向けての方向付けを補強することができ、より射程距離を伸ばすことができる。
【００１０】
更に、前記本願の発明において、前記内部体が内ノズルを有するものとしてもよい。このようにすることで、広範囲に中実の散水をすることができる。
【００１１】
【発明の実施の形態】
本願発明の実施の形態を添付図面に基づき説明する。尚、添付図面において、図１は、本願発明の水噴霧ノズルの実施の形態を示し、図３のＩ−Ｉ線断面図であり、図２は図１のＩＩ−ＩＩ線断面図であり、図３は同上を示す正面図であり、図４は同上を示す平面図であり、図５は、本願発明の水噴霧ノズルの他の実施の形態を示し、図１に相当する図の要部を拡大した図である。
【００１２】
図１乃至４において、水噴霧ノズル１０は、外筒１と、外筒１内に装着される内部体の一例である内筒２とから構成されており、内筒２は、外筒１内に同軸に装着されて固定され、外筒１との間に円筒状の流路４を形成し、又内筒２の内部には、その中央部にスパイラル６が同軸に嵌入されており、そのスパイラル６の手前に入口室７が形成され、その入口室７内部と円筒状の流路４とを連通させる連通孔８が複数形成されている。尚３は給水管への取付け用の基部である。
【００１３】
内筒２は、先端２ａが外筒１の先端１ａより突出しており、先端２ａの外側には環状鍔部２ｂを、先端２ａの内側には喉部を介して円錐状に拡がる内ノズル２ｃを有している。
【００１４】
外筒１は、先端１ａが内筒２の環状鍔部２ｂの内側端面に形成される環状の受水面２ｄと対向しており、先端１ａと受水面２ｄとの間に形成される外ノズル１ｂを有しており、更に先端１ａの外縁１ｄと環状鍔部２ｂの内側端面の外縁２ｆとで形成される外ノズル出口１ｃを有している。
【００１５】
内筒２における受水面２ｄには、外側に向けて上方に傾斜する傾斜面２ｅが形成されている。尚、傾斜面２ｅの傾斜角は例えば１０度である。
【００１６】
水噴霧ノズル１０の先端側を下方に向けた状態で加圧水が給水されると、内ノズル２ｃからスパイラル６を介した圧力水が中実円錐状に噴出され、円筒状の流路４を介した圧力水は環状鍔部２ｂに衝突して外ノズル１ｂから噴出され、内ノズル２ｃからの中実円錐状散水の外側を囲うように円環状（パラソル状）に散水される。
【００１７】
前記の如く構成される水噴霧ノズル１０によれば、外筒１と内筒２との間に形成される円筒状の流路４から放出される消火水等は、環状鍔部２ｂの受水面２ｄにおける傾斜面２ｅにガイドされて、上方に向かって放出されるので、その射程距離が伸びることとなる。即ち、外ノズル１ｂから放出されるパラソル状の散水の射程距離を伸ばすことができる。
【００１８】
尚、前記水噴霧ノズル１０において、外ノズル出口１ｃの断面積を、外ノズル出口１ｃより流出する流水の最小流過面積としてもよい。即ち、外ノズル出口１ｃの面積は、入口室７の断面積、連通穴８の面積（連通孔８の合計）、流路４の断面積、外ノズル１ｂの入口（外筒１内壁を延長させた円筒面）１ｆの面積のそれぞれよりも小さいようする。そのようにすることで、外ノズル出口１ｃからは圧力水がエネルギロスすることなく勢いよく噴出することとなるので、その射程距離の伸びを大きくすることができる。更に、上記の順で次第に面積が小さくなるように設計するとよりエネルギロスが小さくて済む。
【００１９】
更に、図５に示す様に、前記水噴霧ノズル１０において、内筒２の環状鍔部２ｂの受水面２ｄに対向する外筒１の先端１ａに外側に向けて上方に傾斜する傾斜面１ｅを形成してもよい。このようにすることで、外ノズル１ｂから放出される消火水等への上方に向けての方向付けを補強することができ、より射程距離を伸ばすことができる。尚、傾斜面１ｅの傾斜角は傾斜面２ｅと平行、もしくはそれより小さい角度がよい。
【００２０】
更に、上記では水噴霧ノズル１０の先端を下方に向けて受水面２ｄ及び外筒１の先端１ａに、外側に向けて上方に傾斜する傾斜面１ｅ，２ｅを形成する場合について述べたが、水噴霧ノズル１０の先端を上方に向ける場合も受水面２ｄ及び外筒１の先端に、外側に向けて上方に傾斜する傾斜面を形成してもよい。この場合も上記と同様に射程距離を伸ばすことができる。
【００２１】
【発明の効果】
本願の発明によれば、環状鍔部の受水面に外側に向けて上方に傾斜する傾斜面を形成したので、外筒と内部体との間に形成される流路から放出される消火水等は、環状鍔部の受水面における傾斜面にガイドされて、その射程距離が伸びることとなる。従って、前記本願の発明によれば、円環状の散水範囲を広くすることができる水噴霧ヘッドを得ることができる。
【００２２】
更に本願の発明によれば、環状鍔部と外筒の先端外縁とで形成される外ノズル出口の断面積を最小流過面積とすることで、外ノズル出口からは圧力水がエネルギロスすることなく勢いよく噴出させることができ、射程距離の伸びを大きくすることができる。
【００２３】
更に本願の発明によれば、環状鍔部の受水面に対向する外筒の先端に外側に向けて上方に傾斜する傾斜面を形成することで、放出される消火水等への上方に向けての方向付けを補強することができ、より射程距離を伸ばすことができる。
【００２４】
更に本願の発明によれば、内部体を内ノズルを有するものとすることで、広範囲に中実の散水をすることができる。
【図面の簡単な説明】
【図１】図１は、本願発明の水噴霧ノズルの実施の形態を示し、図３のＩ−Ｉ線断面図である。
【図２】図２は図１のＩＩ−ＩＩ線断面図である。
【図３】図３は同上を示す正面図である。
【図４】図４は同上を示す平面図である。
【図５】図５は、本願発明の水噴霧ノズルの他の実施の形態を示し、図１に相当する図の要部を拡大した図である。
【符号の説明】
１　　　外筒
１ａ　　先端
１ｂ　　外ノズル
１ｃ　　外ノズル出口
２　　　内筒
２ａ　　先端
２ｂ　　環状鍔部
２ｃ　　内ノズル
２ｄ　　受水面
２ｅ　　傾斜面
３　　基部
４　　円筒状の流路
６　　スパイラル
７　　入口室
８　　連通孔
１０　水噴霧ノズル
【図１】
2004121944.tif 000003
【図２】
2004121944.tif 000004
【図３】
2004121944.tif 000005
【図４】
2004121944.tif 000006
【図５】
2004121944.tif 000007